(57)【要約】【課題】エアー漏れが無く、本体の移動、引き回しの容易な電気掃除機を提供する。【解決手段】塵埃を集塵する集塵室２と電動送風機３が配設された本体１と、電動機５と前記電動機５で回転駆動される走行ローラー７からなり前記本体１を走行させるための電動走行ユニット４と、走行用の後部キャスター１７と、前記集塵室２に設けられホース８が接続されるホース接続部９とを備え、前記電動走行ユニット４を前記本体１の下部に設けると共に前記回転ホース接続部９の下方に位置させたもので、電動走行ユニット４により本体１が走行するので本体１の引き回しが楽になると共に、前記電動走行ユニット４がホース接続部９の下方に位置しているので、エアー漏れが無く、電気掃除機の吸引性能を低下させることがない。【選択図】図１
2008073402.tif 000002
【特許請求の範囲】
【請求項１】
塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪と、前記集塵室に設けられホースが接続されるホース接続部とを備え、前記電動走行ユニットを前記本体の下部に設けると共に前記回転ホース接続部の下方に位置させた電気掃除機。
【請求項２】
塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記電動走行ユニットを前記本体の前部より突出させて配設した電気掃除機。
【請求項３】
塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記電動走行ユニットに、前記本体と連通すると共に前記電動走行ユニットを前記本体に回転自在に軸支するための軸を形成した電気掃除機。
【請求項４】
塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記本体に、前記電動走行ユニットを回転自在に軸支するための軸を形成した電気掃除機。
【請求項５】
塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪と、前記電動走行ユニットが取り付けられた取付板とを備え、前記取付板を前記本体に固定した電気掃除機。
【発明の詳細な説明】
【技術分野】
【０００１】
本発明は、電気掃除機に関するものである。
【背景技術】
【０００２】
従来の電気掃除機について、図６を用いて説明する。
【０００３】
従来の電気掃除機は、掃除機本体３０の前方底部に設けた回転自在のキャスターローラー３１と、掃除機本体３０の後部側面に設けた後部ローラー３２によって、使用者が掃除機本体３０を移動する構成になっており、吸引ノズル３５で吸引された塵埃は、延長管３４、ホース３３を介して電気掃除機本体３０の集塵室（図示せず）に集塵される構成になっている（例えば、特許文献１参照）。
【特許文献１】特開昭６３―４９１１８号公報
【発明の開示】
【発明が解決しようとする課題】
【０００４】
しかしながら、上記従来の電気掃除機の構成では、掃除をする場合、掃除機本体３０を家中引き回す必要があり、掃除機本体３０の引き回しに大きな力が必要で、特にじゅうたん上などでは引き回しが重くかなりの重労働になるという課題があった。そのような場合、電動の走行ローラー等を別に補助輪として設ける等の解決策が考えられるが構造が複雑になり掃除機本体３０への取付部などからエアー漏れが生じるなどの課題があった。
【０００５】
本発明は、上記従来の課題を解決するもので、エアー漏れが発生することなく、本体を軽々と引き回し出来る軽労働で使い勝手のよい電気掃除機を提供することを目的とする。
【課題を解決するための手段】
【０００６】
上記従来の課題を解決するために、本発明の電気掃除機は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪と、前記集塵室に設けられホースが接続されるホース接続部とを備え、前記電動走行ユニットを前記本体の下部に設けると共に前記回転ホース接続部の下方に位置させたもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、集塵室のホースが接続されるホース接続部の下方に電動走行ユニットを配設したことによりエアー漏れが無く、電気掃除機の吸引性能を低下させることが無い。
【０００７】
又、本発明の電気掃除機は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記電動走行ユニットを前記本体の前部より突出させて配設したもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、前記電動走行ユニットを前記本体の前部より突出させて配設したことによりエアー漏れが無く、電気掃除機の吸引性能を低下させることが無い。
【０００８】
又、本発明の電気掃除機は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記電動走行ユニットに、前記本体と連通すると共に前記電動走行ユニットを前記本体に回転自在に軸支するための軸を形成したもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、本体内のリード線と電動機とを電気的に接続するリード線を軸内部に通すことにより、リード線の処理が容易になると共にエアー漏れが発生することが無い。
【０００９】
又、本発明の電気掃除機は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記本体に、前記電動走行ユニットを回転自在に軸支するための軸を形成したもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、電動走行ユニットの本体への固定が簡単でサービス時には本体外郭から容易に外せると共にエアー漏れが発生することが無い。
【００１０】
又、本発明の電気掃除機は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪と、前記電動走行ユニットが取り付けられた取付板とを備え、前記取付板を前記本体に固定したもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。又、予め前記電動走行ユニットを取付板に組み込んでおけば、電動走行ユニットの本体への取付け作業が容易で、エアー漏れが発生することが無い。
【発明の効果】
【００１１】
本発明の電気掃除機は、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、集塵室のホースが接続されるホース接続部の下方に電動走行ユニットを配設したことによりエアー漏れが無く、電気掃除機の吸引性能を低下させることが無い。
【発明を実施するための最良の形態】
【００１２】
第１の発明は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪と、前記集塵室に設けられホースが接続されるホース接続部とを備え、前記電動走行ユニットを前記本体の下部に設けると共に前記回転ホース接続部の下方に位置させたもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、集塵室のホースが接続されるホース接続部の下方に電動走行ユニットを配設したことによりエアー漏れが無く、電気掃除機の吸引性能を低下させることが無い。
【００１３】
第２の発明は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記電動走行ユニットを前記本体の前部より突出させて配設したもので、電気掃除機の引き回しが軽くなり、じゅうたん上などの掃除でも本体を軽く引き回すことが出来るため掃除がけ負担が大幅軽減される。
【００１４】
また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、前記電動走行ユニットを前記本体の前部より突出させて配設したことによりエアー漏れが無く、電気掃除機の吸引性能を低下させることが無い。
【００１５】
第３の発明は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記電動走行ユニットに、前記本体と連通すると共に前記電動走行ユニットを前記本体に回転自在に軸支するための軸を形成したもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、本体内のリード線と電動機とを電気的に接続するリード線を軸内部に通すことにより、リード線の処理が容易になると共にエアー漏れが発生することが無い。
【００１６】
第４の発明は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪とを備え、前記本体に、前記電動走行ユニットを回転自在に軸支するための軸を形成したもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。また、電動走行ユニットの本体への固定が簡単でサービス時には本体外郭から容易に外せると共にエアー漏れが発生することが無い。
【００１７】
第５の発明は、塵埃を集塵する集塵室と電動送風機が配設された本体と、電動機と前記電動機で回転駆動される走行ローラーからなり前記本体を走行させるための電動走行ユニットと、走行用の走行キャスターまたは走行車輪と、前記電動走行ユニットが取り付けられた取付板とを備え、前記取付板を前記本体に固定したもので、電気掃除機の引き回しが軽くなり、じゅうたん上などの掃除でも本体を軽く引き回すことが出来るため掃除がけ負担が大幅軽減される。また、ホースを引いたときに、本体が前方に移動するように電動走行ユニットの走行ローラーを駆動すれば、電気掃除機本体を常に使用者の近くに寄せて置くことが出来るため、家具や壁に掃除機本体が引っ掛るといったチャンスも少なくなり使い勝手のよい電気掃除機が提供できる。又、予め前記電動走行ユニットを取付板に組み込んでおけば、電動走行ユニットの本体への取付け作業が容易で、エアー漏れが発生することが無い。
【００１８】
以下、本発明の実施の形態について、図面を参照しながら説明する。なお、この実施の形態によりこの発明が限定されるものではない。
【００１９】
（実施の形態１）
図１は、本発明の第１の実施の形態における電気掃除機の本体の側面図、図２は、同電気掃除機の要部断面図、図３は、同電気掃除機の底面図である。
【００２０】
図１〜３において、電気掃除機の本体１は、吸引風を発生させる電動送風機３と、電動送風機３の吸引風の上流側に配され、塵埃を集塵する紙袋（図示せず）などを収納するための集塵室２を備えている。さらに本体１の底部には、本体１を走行させる電動走行ユニット４を、本体１下方に突出させ本体１の前部を所定角度（例えば、１３度）上方に持ち上げた状態に設けている。
【００２１】
電動走行ユニット４は、電動機５と、走行ローラー７と、電動機５の回転数を減速して走行ローラー７を駆動するギヤーユニット６と、前記電動機５とギヤーユニット６を収納する外郭１３とから構成されている。また、走行ローラー７の軸７ａは、メタル軸受やボールベアリング軸受などからなる軸受１４を介して、外郭１３に回転自在に支持されている。また、走行ローラー７の軸部には走行ローラー７の回転を検知するための回転検知センサー１６が設けられている。
【００２２】
制御手段である回転検知センサー１６は、例えばポテンショメーターまたはフォトインターラプターまたは磁気検知のＭＲ素子、ホール素子、ホールＩＣ、リードスイッチなどで構成されている。
【００２３】
また、電動走行ユニット４は、弾性手段であるコイルばね１５を介して本体１の下部に回転自在に設けられ、集塵室２の前部には、集塵室２と連通すると共に、ホース８の一端が接続されるホース接続部９が設けられ、同ホース接続部９の下方に前記電動走行ユニット４が配設されている。
【００２４】
ホース接続部９は、ホース８、集塵室２、電動送風機３へと流れる吸引風の通路を形成する本体１の前部に位置している。更に電動走行ユニット４は、本体１の前方に突出させて構成されている。
【００２５】
また、電動走行ユニット４には、本体１と連通し電動走行ユニット４の回転軸となる軸１０が形成されており、軸１０を回転中心軸として電動走行ユニット４は、電気掃除機本体１に軸支されると共に、本体１と連通する軸１０内部には、リード線１１が通され、本体１内の電動送風機３等の電気掃除機本体側リード線１ａとコネクター１８で結線されている。
【００２６】
１２は、軸１０を回転中心軸として回転する電動走行ユニット４の回転範囲を規制するリブで、本体１の下部に形成されている。本実施の形態では、電動走行ユニット４の外郭１３は、走行ローラー７を覆うカバー体を兼ねている。ここで前記軸１０を回転中心軸として電動走行ユニット４が本体１に軸支されている為、走行ローラー７を有する電動走行ユニット４は、走行キャスターとして機能している。１７は、本体１の後部左右に配設され走行キャスターとなる後部キャスターである。
【００２７】
以上のように構成された電気掃除機について、以下その動作、作用を説明する。
【００２８】
本体１が、掃除中にホース８などで僅かに引っ張られた場合走行ローラー７が僅かに回転することになる。その僅かな回転を制御手段である回転検知センサー１６で検知すると電動機５に所定時間電力を供給するよう制御する。電動機５が給電され所定時間回転するとギヤーユニット６で減速され走行ローラー７が所定時間回転し本体１が、ホース８が引っ張られた方向に移動することになる。
【００２９】
以上のように、本実施の形態によれば、本体１を僅かに引っ張るだけで、本体１が所定時間電動で移動するので、操作力が低減されるよう動作する。
【００３０】
また、本体１の前部が所定角度（１３度）上方を向いていることにより、使用者がホース８を引張り易くなり、更に軽い力で本体１を引き回すことが出来る。
【００３１】
本実施の形態では、１３度本体１を上方に向くように構成しているが、これは、５度以下では効果が薄れ、２０度以上では、本体１が転倒しやすくなる傾向にあり移動操作がしづらくなることから設定したもので、５度〜２０度の範囲であれば同様の効果が得られるが、望ましくは１０度〜１５度が最適である。
【００３２】
また、電動走行ユニット４は弾性手段であるコイルばね１５を介して本体１の下部に設けられている為、電動走行ユニット４にクッション性を持たせて室内の段差等の乗り越えもスムーズに行うことが出来、更に軽い力で本体１を引き回すことを可能にしたものである。電動走行ユニット４の弾性手段は、コイルばね１５に限らずエアーシリンダー等でも良いことは言うまでもない。
【００３３】
また、集塵室２にホース８が接続されるホース接続部９の下方に電動走行ユニット４を配設したことにより、ホース８、集塵室２、電動送風機３へと流れる吸引風の通路とは隔離したスペースに電動走行ユニット４が構成されるので、吸引風のエアー漏れがない構成が可能になる。
【００３４】
また、ホース接続部９の下方は、ホース８、集塵室２、電動送風機３へと流れる吸引風の通路を形成する本体１の前部に位置しており、比較的広いスペースを必要とする集塵室２、電動送風機３部分から比較的細いパイプ状のホース８が接続されるホース接続部９の下方部分に吸引風の通路とは隔離された空洞部が生じ、この部分に電動走行ユニット４を構成することで、吸引風のエアー漏れがない構成とすることが出来る。
【００３５】
更に電動走行ユニット４は、本体１の前方に突出させているので、本体１の先端が先細りして尖った形態となり、家具や壁への引掛りを防止し、家具間などの狭い場所でのすり抜け性が改善されるものである。また、電動走行ユニット４に形成され、本体１と連通し電動走行ユニット４の回転中心軸となる軸１０内部に、リード線１１を通すことでリード線１１の処理を容易にすることができるものである。また、リード線１１をコネクター１８にて接続とすることで、更にリード線１１の処理を容易にしている。
【００３６】
更に、軸１０を回転中心軸として回転する電動走行ユニット４の回転範囲は、本体１の下部に形成されたリブ１２によって規制されており、これによりリード線１１のねじれ、断線を防止している。電動走行ユニット４の回転範囲の規制は、リブ１２に限らず凹み、段差等でも良いことは言うまでもないことである。また、電動走行ユニット４の外郭１３は、走行ローラー７を覆うカバー体を兼ねているので、走行ローラー７用のカバー体を別途設ける必要が無く、部品点数を削減することができる。また、走行ローラー７の軸受１４をメタル軸受やボールベアリング軸受で形成したことにより走行ローラー７の軸受部の回転抵抗が軽減され回転性が向上し、更に軽い力で本体１を引き回すことが出来るものである。
【００３７】
なお、上記実施の形態では、本体１の後部底面に、走行用に後部キャスター１７を設けたが、本体１の後部両側面に走行車輪を回転自在に設けても良い。
【００３８】
（実施の形態２）
図４は、本発明の第２の実施の形態における電気掃除機の要部断面図である。なお、上記第１の実施の形態と同一部分については同一符号を付してその説明を省略する。
【００３９】
本実施の形態は、図４に示すように、電動走行ユニット４の走行ローラー７を、弾性手段であるエアーシリンダー２０を介して電動走行ユニット４に設けたもので、走行ローラー７にクッション性を持たせて、本体１の室内の段差等の乗り越えもスムーズに行うことが出来、更に軽い力で本体１を引き回すことを可能にしたものである。
【００４０】
走行ローラー７の弾性手段は、上記エアーシリンダー２０に限らずコイルばね等でも良いことは言うまでもないことである。
【００４１】
また、上記第１の実施の形態では、電動走行ユニット４側に軸１０を設けたが、本実施の形態では、図４に示すように、本体１の底面に、電動走行ユニット４を回転自在に軸支する軸２１を形成しており、これにより、電動走行ユニット４の本体１への固定が簡単で、サービス時には、本体１の外郭から容易に外せるようになるものである。
【００４２】
（実施の形態３）
図５は、本発明の第３の実施の形態における電気掃除機の要部断面図である。なお、上記実施の形態と同一部分については同一符号を付してその説明を省略する。
【００４３】
本実施の形態は、図５に示すように、取付板２２に回動自在に電動走行ユニット４を取り付け、その取付板２２を、本体１の底面にネジ等で固定するようにしたものであり、本構成により電動走行ユニット４の本体１への取付け作業が容易で、ホース８、集塵室２、電動送風機３へと流れる吸引風の通路を有する本体１とは別ユニットとして、取付板２２に電動走行ユニット４を構成することで、吸引風のエアー漏れがない構成とすることが出来る。
【産業上の利用可能性】
【００４４】
以上のように、本発明にかかる電気掃除機は、電気掃除機の移動を電動走行ユニットの配置その他によって軽がる移動出来て掃除に掛かる負担が大幅に低減出来る他、掃除機本体が常に掃除者の近くに移動されるため壁や家具への引っ掛りも大幅に低減出来る。またホースが接続されるホース接続部の下方に電動走行ユニットを配設したことによりエアー漏れが無く、家庭用、業務用等の各種電気掃除機に幅広く応用できる。
【図面の簡単な説明】
【００４５】
【図１】本発明の実施の形態１における電気掃除機の本体の側面図
【図２】同電気掃除機の要部断面図
【図３】同電気掃除機の底面図
【図４】本発明の実施の形態２における電気掃除機の要部断面図
【図５】本発明の実施の形態３における電気掃除機の要部断面図
【図６】従来の電気掃除機の概略構成図
【符号の説明】
【００４６】
１    本体
２    集塵室
３    電動送風機
４    電動走行ユニット
５    電動機
６    ギヤーユニット
７    走行ローラー
８    ホース
９    ホース接続部
１０，２１  軸
１１  リード線
１２  リブ
１３  外郭
１４  軸受
１５  コイルばね（弾性手段）
１６  回転検知センサー
２０  エアーシリンダー（弾性手段）
２２  取付板
【図１】
2008073402.tif 000003
【図２】
2008073402.tif 000004
【図３】
2008073402.tif 000005
【図４】
2008073402.tif 000006
【図５】
2008073402.tif 000007
【図６】
2008073402.tif 000008